(57)【要約】【課題】最適な過冷却の運転状態を維持することができる空気調和装置を提供する。【解決手段】室外機１６と室内機２２から構成され、室外機１６は、圧縮機１と、過冷却管９を有する室外熱交換器２と、室外送風機３と、第１の電動式膨張弁４と、四方弁５と、室外熱交換器温度検出手段６と、第１の電動式膨張弁４の入口温度を検出する膨張弁入口温度検出手段１４と、過冷却管９に接続された第１の電磁弁１２と、過冷却管９の入口管８及び出口管１１を、第２の電磁弁１３を介して接続するバイパス回路１０とを備え、室内機２２は、室内熱交換器１７と、室内送風機１８と、第２の電動式膨張弁１９と、吸い込み空気の温度を検出する吸い込み空気温度検出手段２０と、室内機制御装置２１とを備え、過冷却度が大きい場合には過冷却管９をバイパスし、過冷却度が小さい場合には、過冷却管９を利用するもので、最適な過冷却の運転状態を維持することができる。【選択図】図１
2009041829.tif 000002
【特許請求の範囲】
【請求項１】
室外機と室内機から構成され、前記室外機は、圧縮機と、過冷却管を有する室外熱交換器と、室外送風機と、第１の電動式膨張弁と、四方弁と、前記室外熱交換器の温度を検出する室外熱交換器温度検出手段と、前記第１の電動式膨張弁の入口温度を検出する膨張弁入口温度検出手段と、前記過冷却管に接続された第１の電磁弁と、前記過冷却管の入口管及び出口管を、第２の電磁弁を介して接続するバイパス回路と、外気温度を検出する外気温度検出手段とを備え、前記室内機は、室内熱交換器と、室内送風機と、第２の電動式膨張弁と、吸い込み空気の温度を検出する吸い込み空気温度検出手段と、室内機制御装置とを備え、過冷却度が大きい場合には前記過冷却管をバイパスし、過冷却度が小さい場合には、前記過冷却管を利用することを特徴とする空気調和装置。
【請求項２】
外気温度ごとに、過冷却度の大小を判断する所定の過冷却設定値を持たせることを特徴とする請求項１に記載の空気調和装置。
【発明の詳細な説明】
【技術分野】
【０００１】
本発明は、空気調和装置に関するものである。
【背景技術】
【０００２】
従来のこの種の空気調和装置として、図４に示されるようなものがあった（例えば、特許文献１参照）。
【０００３】
図４は、上記特許文献１に開示された従来の空気調和装置の冷凍サイクル図で、同図において、従来の空気調和装置の熱交換器２５は、各々ヘッダ２６及びディストリビュータ２７に独立して接続され、通常の熱交換を行う複数の熱交換ブロックからなる熱交換器部２５Ｇと、冷媒を過冷却する過冷却熱交換器部２５Ｓとから構成され、過冷却熱交換器部２５Ｓでは、熱交換器２５の出口部に過冷却管を具備するものが一般的であった。
【特許文献１】特開２００４−３４７１３５号公報
【発明の開示】
【発明が解決しようとする課題】
【０００４】
しかしながら、上記従来の空気調和装置の構成では、熱交換器２５の過冷却管が一定の長さで構成されていると、低外気温度冷房時のような冷媒循環量が少なくて良い場合等に、過冷却度が取れすぎてしまうという課題が有った。
【０００５】
本発明は、上記従来の課題を解決するもので、過冷却度が大きい場合には過冷却管をバイパスし、過冷却度が小さい場合には過冷却管を利用することにより、最適な過冷却の運転状態を維持できる空気調和装置を提供することを目的とする。
【課題を解決するための手段】
【０００６】
上記課題を解決するために、本発明の空気調和装置は、室外機と室内機から構成され、前記室外機は、圧縮機と、過冷却管を有する室外熱交換器と、室外送風機と、第１の電動式膨張弁と、四方弁と、前記室外熱交換器の温度を検出する室外熱交換器温度検出手段と、前記第１の電動式膨張弁の入口温度を検出する膨張弁入口温度検出手段と、前記過冷却管に接続された第１の電磁弁と、前記過冷却管の入口管及び出口管を、第２の電磁弁を介して接続するバイパス回路と、外気温度を検出する外気温度検出手段とを備え、前記室内機は、室内熱交換器と、室内送風機と、第２の電動式膨張弁と、吸い込み空気の温度を検出する吸い込み空気温度検出手段と、室内機制御装置とを備え、過冷却度が大きい場合には前記過冷却管をバイパスし、過冷却度が小さい場合には、前記過冷却管を利用するもので、最適な過冷却の運転状態を維持することができる。
【発明の効果】
【０００７】
本発明の空気調和装置は、過冷却度が大きい場合には過冷却管をバイパスし、過冷却度が小さい場合には過冷却管を利用することにより、最適な過冷却の運転状態を維持できる。
【発明を実施するための最良の形態】
【０００８】
第１の発明は、室外機と室内機から構成され、前記室外機は、圧縮機と、過冷却管を有する室外熱交換器と、室外送風機と、第１の電動式膨張弁と、四方弁と、前記室外熱交換器の温度を検出する室外熱交換器温度検出手段と、前記第１の電動式膨張弁の入口温度を検出する膨張弁入口温度検出手段と、前記過冷却管に接続された第１の電磁弁と、前記過冷却管の入口管及び出口管を、第２の電磁弁を介して接続するバイパス回路と、外気温度
を検出する外気温度検出手段とを備え、前記室内機は、室内熱交換器と、室内送風機と、第２の電動式膨張弁と、吸い込み空気の温度を検出する吸い込み空気温度検出手段と、室内機制御装置とを備え、過冷却度が大きい場合には前記過冷却管をバイパスし、過冷却度が小さい場合には、前記過冷却管を利用するもので、最適な過冷却の運転状態を維持することができる。
【０００９】
第２の発明は、特に、第１の発明の外気温度ごとに、過冷却度の大小を判断する所定の過冷却設定値を持たせるもので、あらゆる外気温度条件で、最適な過冷却の運転状態を維持することができる。
【００１０】
以下、本発明の実施の形態について、図面を参照しながら説明する。なお、本実施の形態によって本発明が限定されるものではない。
【００１１】
（実施の形態１）
図１は、本発明の第１の実施の形態における空気調和装置の冷凍サイクル図、図２は、同空気調和装置の運転制御方法を示すフローチャートである。
【００１２】
図１において、本実施の形態における空気調和装置は、室外機１６と室内機２２から構成され、室外機１６は、圧縮機１と、最下段に過冷却管９を具備した室外熱交換器２と、室外送風機３と、減圧自在な第１の電動式膨張弁４と、冷房運転と暖房運転を切換える四方弁５と、室外熱交換器２の温度を検出する室外熱交換器温度検出手段６と、第１の電動式膨張弁４の入口温度を検出する膨張弁入口温度検出手段１４と、外気温度を検出する外気温度検出手段７と、過冷却管９の入口管８と過冷却管９の出口管１１を第２の電磁弁１３を介して接続してなるバイパス回路１０と、過冷却管９の入口管８に配した第１の電磁弁１２と、室外機制御装置１５とを備え、室内機２２は、室内熱交換器１７と、室内送風機１８と、減圧可能な第２の電動式膨張弁１９と、吸い込み空気温度検出手段２０と、室内機制御装置２１とを備えている。
【００１３】
図２において、冷房運転時、まず第２の電磁弁１３をＯＦＦ、同時に第１の電磁弁１２をＯＮし過冷却管９を利用した冷凍サイクルで運転を行う。次に、室外熱交換器温度検出手段６により検出した室外熱交換器温度Ｔｅ１と、膨張弁入口温度検出手段１４により検出した膨張弁入口温度Ｔｅ２とを、室外機制御装置１５で比較し、所定の過冷却度設定値Ｓに対し、Ｔｅ１−Ｔｅ２＞Ｓが成立すれば、第２の電磁弁１３をＯＮ、同時に第１の電磁弁１２をＯＦＦ、すなわち過冷却管９をバイパスするようにする。
【００１４】
以上のように、本実施の形態によれば、過冷却度が大きい場合には、過冷却管９をバイパスし、過冷却度が小さい場合には、過冷却管９を利用することにより、最適な過冷却の運転状態を維持することができる。
【００１５】
（実施の形態２）
図３は、本発明の第２の実施の形態における空気調和装置の運転制御方法を示すフローチャートである。尚、上記第１の実施の形態と同一部分については、同一符号を付してその説明を省略する。
【００１６】
本実施の形態は、図３に示すように、冷房運転時、まず第２の電磁弁１３をＯＦＦ、同時に第１の電磁弁１２をＯＮし、過冷却管９を利用した冷凍サイクルで運転を行う。次に、外気温度検出手段７により外気温度Ｔａを検出し、室外熱交換器温度検出手段６により検出した室外熱交換器温度Ｔｅ１と、膨張弁入口温度検出手段１４により検出した膨張弁入口温度Ｔｅ２とを室外機制御装置１５で比較し、外気温度検出手段７が検出する外気温度Ｔａごとに定めた表１の所定の過冷却度設定値Ｓｎ（ｎは１〜４のいずれか）に対し、
Ｔｅ１−Ｔｅ２＞Ｓｎが成立すれば、第２の電磁弁１３をＯＮ、同時に第１の電磁弁１２をＯＦＦ、すなわち過冷却管９をバイパスするようにしたものである。
【００１７】
これらの動作により、あらゆる外気温度条件で、最適な過冷却の運転状態を維持することができる。
【００１８】
【表１】
2009041829.tif 000003
【００１９】
尚、上記実施の形態では、１対の室内機と室外機からなる空気調和装置を例に説明したが、複数の室内機と１台の室外機からなる多室型の空気調和装置にも適用できることは、言うまでもない。
【産業上の利用可能性】
【００２０】
以上のように、本発明に係る空気調和装置は、最適な過冷却の運転状態を維持することができるもので、１対の室内機と室外機からなる空気調和装置に限定されるものではなく、複数の室内機と１台の室外機からなる多室型の空気調和装置にも適用できる。
【図面の簡単な説明】
【００２１】
【図１】本発明の第１の実施の形態における空気調和装置の冷凍サイクル図
【図２】同空気調和装置の運転制御方法を示すフローチャート
【図３】本発明の第２の実施の形態における空気調和装置の運転制御方法を示すフローチャート
【図４】従来の空気調和装置の冷凍サイクル図
【符号の説明】
【００２２】
１  圧縮機
２  室外熱交換器
３  室外送風機
４  第１の電動式膨張弁
５  四方弁
６  室外熱交換器温度検出手段
７  外気温度検出手段
８  入口管
９  過冷却管
１０  バイパス回路
１１  出口管
１２  第１の電磁弁
１３  第２の電磁弁
１４  膨張弁入口温度検出手段
１５  室外機制御装置
１６  室外機
１７  室内熱交換器
１８  室内送風機
１９  第２の電動式膨張弁
２０  室内機吸い込み空気温度検出手段
２１  室内機制御装置
２２  室内機
【図１】
2009041829.tif 000004
【図２】
2009041829.tif 000005
【図３】
2009041829.tif 000006
【図４】
2009041829.tif 000007